【手続補正書】
【提出日】平成19年12月26日(2007.12.26)
【手続補正１】
【補正対象書類名】特許請求の範囲
【補正対象項目名】全文
【補正方法】変更
【補正の内容】
【特許請求の範囲】
【請求項１】
少なくとも１つのクエリ単語を含むクエリを受け取ることと、
（Ａ）該クエリが１つ以上の複合クエリ単語を含むか否かを判断し、含む場合は、該１つ以上の複合クエリ単語の１つ以上の代替的表現を含むように該クエリを自動的に拡張することであって、各複合クエリ単語は、単一の複合語またはハイフン連結語として分離して書くことができる語のペアである、ことと、
（Ｂ）１つ以上のクエリ単語が屈折形セットに含まれるか否かを判断し、含まれる場合は、該屈折形セットから１つ以上の対応する屈折形を含むように該クエリを自動的に拡張することであって、各屈折形単語は、文法的関係を表すための複数の屈折形を有している語である、ことと、
（Ｃ）１つ以上のクエリ単語が綴り字異形セットに含まれるか否かを判断し、含まれる場合は、該綴り字異形セットから１つ以上の対応する綴り字異形を含むように該クエリを自動的に拡張することであって、各綴り字異形セットは、複数の異なる綴り方で綴ることができる語である、ことと
のうちの少なくとも１つを実行することと、
該拡張クエリを用いてデータベースをサーチすることと、
結果をユーザに返すことと
を包含する、方法。
【請求項２】
前記クエリが１つ以上の複合クエリ単語を含むか否かを判断し、含む場合は、該１つ以上の複合クエリ単語の１つ以上の代替的表現を含むように該クエリを自動的に拡張することを包含する、請求項１に記載の方法。
【請求項３】
１つ以上のクエリ単語が屈折形セットに含まれるか否かを判断し、含まれる場合は、該屈折形セットから１つ以上の対応する屈折形を含むように前記クエリを自動的に拡張することを包含する、請求項１に記載の方法。
【請求項４】
１つ以上のクエリ単語が綴り字異形セットに含まれるか否かを判断し、含まれる場合は、該綴り字異形セットから１つ以上の対応する綴り字異形を含むように前記クエリを自動的に拡張することを包含する、請求項１に記載の方法。
【請求項５】
前記（Ｂ）を実行することをさらに包含し、
前記綴り字異形セットから１つ以上の対応する綴り字異形を含むように前記クエリを自動的に拡張することは、前記屈折形セットから１つ以上の対応する屈折形を含むように該クエリを自動的に拡張することの前に実行される、請求項４に記載の方法。
【請求項６】
前記（Ａ）、（Ｂ）および（Ｃ）の少なくとも２つを実行することを包含する、請求項１に記載の方法。
【請求項７】
前記クエリが１つ以上の複合クエリ単語を含むか否かの判断が、クエリ単語と複合語のリストとを比較することを包含する、請求項１に記載の方法。
【請求項８】
前記１つ以上の複合クエリ単語の前記１つ以上の代替的表現が、前記複合語のリストから取得される、請求項７に記載の方法。
【請求項９】
前記クエリがドイツ語で書かれている、請求項１に記載の方法。
【請求項１０】
アクションが記載順に実行される、請求項１に記載の方法。
【請求項１１】
文書と関連付けた単語セットを識別することと、
該文書と関連付けた該単語セットの中の少なくとも１つの単語の１つ以上の綴り字異形と、
該文書と関連付けた該単語セットの中の少なくとも１つの複合語の１つ以上の代替的表現と、
該文書と関連付けた該単語セットの中の少なくとも１つの単語の１つ以上の更なる屈折形と、
のうちの１つ以上と該文書をさらに関連付けることによって、該文書と関連付けた該単語セットを拡張することと、
該拡張単語セットを用いて該文書をインデックス化することと
を包含する、方法。
【請求項１２】
ユーザから、前記綴り字異形、代替的表現または更なる屈折形のうちの一つ以上を含むクエリを受け取ることと、
前記文書を該クエリに反応するものとして、該ユーザに識別することと
をさらに包含する、請求項１１に記載の方法。
【請求項１３】
前記文書が、ウェブページを含む、請求項１１に記載の方法。
【請求項１４】
ハイフン連結語を第一の文書セットからサーチすることと、
該ハイフン連結語に対応するハイフンなし語を該第一の文書セットからサーチすることと、
該ハイフン連結語と該対応するハイフンなし語との間の関連セットを生成することと
を包含する、方法。
【請求項１５】
前記第一の文書セットから、前記ハイフンなし語と対応するハイフン連結語とに対応する分離した語のペアをサーチすることと、
該分離した語のペアを、該ハイフン連結語と該対応するハイフンなし語との間の前記関連セットとさらに関連づけることと
をさらに包含する、請求項１４に記載の方法。
【請求項１６】
第一のクエリ単語を含むクエリをユーザから受け取ることと、
該第一のクエリ単語を、前記ハイフン連結語と対応するハイフンなし語との間の関連セットの中に位置づけることと、
該クエリを、該ハイフン連結語と対応するハイフンなし語との間の関連セットの中の該第一のクエリ単語と関連する第二のクエリ単語を含むように拡張することと
をさらに包含する、請求項１４に記載の方法。
【請求項１７】
前記拡張クエリを使って、サーチを実行することと、
前記クエリに反応する１つ以上の文書のリストを前記ユーザに送ることと
をさらに包含する、請求項１６に記載の方法。
【請求項１８】
ハイフン連結語を文書に位置づけることと、
該ハイフン連結語と対応するハイフンなし語との間の関連セットの中から、該ハイフン連結語をサーチすることと、
該ハイフン連結語が、該ハイフン連結語と対応するハイフンなし語との間の関連セットの中に見つからない場合、ハイフン連結語からハイフンを除去することと、
該ハイフン除去語を用いて、該文書をインデックス化することと
をさらに包含する、請求項１４に記載の方法。
【請求項１９】
コンピュータ読み込み可能格納媒体に組み込まれたコンピュータプログラムパッケージであって、
プロセッサによって実行されたときにおいて、
少なくとも１つのクエリ単語の１つ以上の綴り字異形を含むことで、ユーザから受け取ったクエリを拡張することであって、各綴り字異形セットは、複数の異なる綴り方で綴ることができる語である、ことと、
少なくとも１つの複合クエリ単語の１つ以上の代替的表現で、該クエリを拡張することであって、各複合クエリ単語は、単一の複合語またはハイフン連結語として分離して書くことができる語のペアである、ことと、
少なくとも１つのクエリ単語の１つ以上の屈折形で、該クエリを拡張することであって、各屈折形単語は、文法的関係を表すための複数の屈折形を有している語である、ことと
からなる群から選択された１つのアクションをプロセッサに実行させる命令を含む、コンピュータプログラムパッケージ。
【請求項２０】
プロセッサによって実行されたときにおいて、
前記拡張クエリを用いて、文書のデータベースをサーチすることと、
該拡張クエリに反応する１つ以上の文書を識別することと、
前記ユーザに送信するために、該１つ以上の文書のリストを準備することと
を包含するアクションをプロセッサに実行させる命令をさらに含む、請求項１９に記載のコンピュータプログラムパッケージ。
【請求項２１】
プロセッサによって実行されたときにおいて、
前記拡張クエリを他のコンピュータシステムに送ることと、
該他のコンピュータシステムから、該拡張クエリに反応する１つ以上の文書のリストを受け取ることと
を包含するアクションをプロセッサに実行させる命令をさらに含む、請求項１９に記載のコンピュータプログラムパッケージ。
【請求項２２】
文書グループを含む文書データベースと、
クエリを受け取り、１つ以上の言語学的技術の利用で該クエリを拡張し、該クエリに反応する情報を該文書データベースの文書からサーチするように動作可能なクエリ処理ロジックと
を含む、情報検索システムであって、
該１つ以上の言語学的技術は、
該クエリが１つ以上の複合クエリ単語を含むか否かを判断し、含む場合は、該１つ以上の複合クエリ単語の１つ以上の代替的表現を含むように該クエリを自動的に拡張することであって、各複合クエリ単語は、単一の複合語またはハイフン連結語として分離して書くことができる語のペアである、ことと、
１つ以上のクエリ単語が屈折形セットに含まれるか否かを判断し、含まれる場合は、該屈折形セットから１つ以上の対応する屈折形を含むように該クエリを自動的に拡張することであって、各屈折形単語は、文法的関係を表すための複数の屈折形を有している語である、ことと、
１つ以上のクエリ単語が綴り字異形セットに含まれるか否かを判断し、含まれる場合は、該綴り字異形セットから１つ以上の対応する綴り字異形を含むように該クエリを自動的に拡張することであって、各綴り字異形は、複数の異なる綴り方で綴ることができる語である、ことと
のうちの少なくとも１つである、システム。
【請求項２３】
前記１つ以上の言語学的技術が、複合語拡張、屈折形セット拡張、または、綴り字拡張のうちの一つ以上を含む、請求項２２に記載のシステム。
【請求項２４】
少なくとも１つのクエリ単語を含むクエリを受け取ることと、
該クエリが１つ以上の複合クエリ単語を含むか否かを判断し、含む場合は、該１つ以上の複合クエリ単語の１つ以上の代替的表現を含むように該クエリを自動的に拡張することであって、各複合クエリ単語は、単一の複合語またはハイフン連結語として分離して書くことができる語のペアである、ことと、
該拡張クエリを用いてデータベースをサーチすることと、
結果をユーザに返すことと
を包含する、方法。
【請求項２５】
前記クエリが１つ以上の複合クエリ単語を含むか否かを判断することが、クエリ単語と複合語のリストとを比較することを包含する、請求項２４に記載の方法。
【請求項２６】
前記１つ以上の複合クエリ単語の前記１つ以上の代替的表現が、前記複合語のリストから取得される、請求項２５に記載の方法。
【請求項２７】
少なくとも１つのクエリ単語を含むクエリを受け取ることと、
１つ以上のクエリ単語が屈折形セットに含まれるか否かを判断し、含まれる場合は、該屈折形セットから１つ以上の対応する屈折形を含むように該クエリを自動的に拡張することであって、各屈折形単語は、文法的関係を表すための複数の屈折形を有している語である、ことと、
該拡張クエリを用いてデータベースをサーチすることと、
結果をユーザに返すことと
を包含する、方法。
【請求項２８】
少なくとも１つのクエリ単語を含むクエリを受け取ることと、
１つ以上のクエリ単語が綴り字異形セットに含まれるか否かを判断し、含まれる場合は、該綴り字異形セットから１つ以上の対応する綴り字異形を含むように該クエリを自動的に拡張することであって、各綴り字異形セットは、複数の異なる綴り方で綴ることができる語である、ことと
該拡張クエリを用いてデータベースをサーチすることと、
結果をユーザに返すことと
を包含する、方法。
【請求項２９】
前記方法は、１つ以上のクエリ単語が屈折形セットに含まれるか否かを判断し、含まれる場合は、該屈折形セットから１つ以上の対応する屈折形を含むように該クエリを自動的に拡張することをさらに包含し、前記綴り字異形セットから１つ以上の対応する綴り字異形を含むようにクエリを自動的に拡張することは、該屈折形セットから１つ以上の対応する屈折形を含むようにクエリを自動的に拡張することの前に実行される、請求項２８に記載の方法。